(57)【要約】【課題】製作が容易で、信頼性が高く、係止時の確実性の高いホック具を提供する。【解決手段】表面にだるま孔２を開口し、一側部には内側空間部４に連通する開口４ａを形成したホック雌部本体１と、だるま孔２に対応する一対の孔部１１ａ，１１ｂを連接したバネ孔１１を開口し、ホック雌部本体１の開口４ａを通じてホック雌部本体１の内部に挿通され、挿通状態で抜止めされる合成樹脂成形体からなる略リング状のバネ体１０とを有するホック雌部２０を具備し、ホック雄部４０を、ホック雌部２０のだるま孔２の大径部２ａを通じて雌部本体１内に挿通するとともに、バネ孔１１の対向内壁面に形成された狭隘部１１ｃを弾性拡開しつつだるま孔２の小径部２ｂ側に移動することにより、バネ体１１の狭隘部１１ｃが弾性復帰してホック雄部４０を小径部２ｂに係合保持する。【選択図】      図５
2008036337.tif 000002
【特許請求の範囲】
【請求項１】
表面に大径部（２ａ）と小径部（２ｂ）が連接しただるま孔（２）を開口し、一側部には内側空間部（４）に連通する開口（４ａ）を形成したホック雌部本体（１）と、前記だるま孔（２）に対応する一対の孔部（１１ａ，１１ｂ）を連接したバネ孔（１１）を開口し、前記ホック雌部本体（１）の開口（４ａ）を通じてホック雌部本体（１）の内部に挿通され、挿通状態で抜止めされる合成樹脂成形体からなるバネ体（１０）とを有するホック雌部（２０）を具備し、
相手側のホック雄部（４０）を、前記だるま孔（２）の大径部（２ａ）を通じて前記雌部本体（１）内に挿通するとともに、前記バネ孔（１１）の対向内壁面に形成された狭隘部（１１ｃ）を弾性拡開しつつ前記だるま孔（２）の小径部（２ｂ）側に移動することにより、前記バネ体（１１）の狭隘部（１１ｃ）が弾性復帰して前記ホック雄部（４０）を小径部（２ｂ）に係合保持することを特徴とするホック具。
【請求項２】
前記バネ体（１０）の抜止め手段が、前記バネ体（１０）の挿通方向両外側に突出する一対の係止片（１４）と、前記雌部本体（１）の空間部（４）の両側に形成されて前記係止片（１４）に係合する係止凹部（５）とからなるものであることを特徴とする請求項１記載のホック具。
【請求項３】
前記バネ体（１０）のバネ孔（１１）のうち、前記雌部本体（１）のだるま孔（２）の大径部（２ａ）に対応する孔部（１１ａ）の頂部側内壁には、該孔部の底部側に向けて傾斜するガイド板（１５）が一体化されて形成されていることを特徴とする請求項１又は２記載のホック具。
【請求項４】
前記ホック具のホック雌部（２０）とホック雄部（４０）が対向して取り付けられる取付部材（３０，４１）同士の引張り方向の先端側に、前記ホック雌部本体（１）のだるま孔（２）の小径部（２ｂ）を位置させ、後部側に大径部（２ａ）を位置させて取付部材（３０）にホック雌部（２０）を固定する構成であることを特徴とする請求項１乃至３のいずれか１項記載のホック具。
【請求項５】
前記ホック雌部（２０）の裏面の略中央部には、前記空間部（４）に連通するカシメ用孔（３ａ）が開口形成され、前記取付部材（３０）の表面側に設けた装飾用ボタンを構成する固定具（３１）の裏面には筒状部（３１ａ）が突出され、該筒状部（３１ａ）を取付部材（３０）を介して前記カシメ用孔（３ａ）にカシメ止めることにより、ホック雌部（２０）を取付部材（３０）に固定する構成であることを特徴とする請求項４に記載のホック具。
【発明の詳細な説明】
【技術分野】
【０００１】
本発明は、ズボン、スカートなどの被服あるいは、鞄、バッグ類などの開閉部分の端部を閉止状態に連結するための止め具として好適なホック具に関するものである。
【背景技術】
【０００２】
ズボン、スカートともにその腰部の開閉部分には、その開閉上端部を雌雄のホック具により止める構造のものが多数用いられている。
【０００３】
ところで、ジーンズなどのズボンは元来は作業着であったものが、現在ではカジュアルなお洒落着として用いられるようになっている。このため、着用者は図９に示すように、自分の体に完全にフィットするサイズのズボン１００を選択している。
【０００４】
この場合における課題としては、腰部１０１のベルト装着位置においては、着用者のウエストサイズよりやや小さめになる傾向が大であり、図９の矢印方向に示す左右及び前後に腹圧が加わり易いため、前部開口の腰部位置には開き方向の圧力が加わっている。
従って、図のごとくボタン止め式とした場合には、ボタン１０２の脱着作業がきつく、ホック式の場合には、スナップ作業が容易でなく、かつ常時腹圧による抜け力が加わっているため、はずれやすいものとなっていた。
【０００５】
そこで、下記特許文献１に示すように、ホック雌部をだるま孔形状にした構造のものがある。この構造では、雄部をだるま孔の大径部に挿入し、ついで小径部に移動させることで、抜け止めされる。雌部には両脚部を略く字状に対向内方に折曲した略Ｕ字状の線細工バネが内蔵され、雄部をだるま孔の小径部に移動する際にはだるま孔の連接位置において前記バネの最小隙間部分を弾性拡開させつつ移動し、かつ雄部が小径部側に到達した段階では前記バネの最小隙間部分は弾性復帰し、雄部の大径部側への戻りが防止されるため、ホック同士を完全にはめ合い状態に保持することになる。ホックをはずす際には、バネのバネ圧に抗して雄部を大径部側に移動させることで、簡単に取りはずすことができる。
【特許文献１】公開実用昭和５３−１４０３号公報
【発明の開示】
【発明が解決しようとする課題】
【０００６】
以上におけるホック雌部の構造はだるま孔が形成されたプレートと、もう一つのプレートをカシメ加工などのプレス成形により内部中空形状の扁平箱形に成形するとともに、その内側に予め前記バネを内蔵させておき、かつ前記バネの両側を内部壁面に沿って支持することで、弾性を付与している。従って、その構造は複雑であり、組立工数も多くかかり、飛出そうとするバネ圧に抗してバネを内側に保持しつつ、成形を行うほか、例えばだるま孔の縁部のナイフエッジを避けるためにカール加工が必要であるなど、安全性を確保するために、製造上も一般的なホック具に比べて極めて面倒であった。また、バネが変形し易く信頼性の点でも問題があった。
【０００７】
そこで、本発明は以上の課題を解決するものであり、その目的とするところは、製作が容易で、信頼性が高く、ズボンやスカートの衣服の開閉部の係止用として、操作が容易で、係止時の確実性の高いホック具を提供するものである。
【課題を解決するための手段】
【０００８】
前記目的を達成するため、本発明に係るホック具は、表面に大径部２ａと小径部２ｂが連接しただるま孔２を開口し、一側部には内側空間部４に連通する開口４ａを形成した金属成型による略ボックス形のホック雌部本体１と、前記だるま孔２に対応する一対の孔部１１ａ，１１ｂを連接したバネ孔１１を開口し、前記ホック雌部本体１の開口４ａを通じてホック雌部本体１の内部に挿通され、挿通状態で抜止めされる合成樹脂成形体からなる略リング状のバネ体１０とを有するホック雌部２０を具備している。相手側のホック雄部４０を、前記ホック雌部２０のだるま孔２の大径部２ａを通じて雌部本体１内に挿通するとともに、バネ孔１１の対向内壁面に形成された狭隘部１１ｃを弾性拡開しつつだるま孔２の小径部２ｂ側に移動することにより、バネ体１１の狭隘部１１ｃが弾性復帰してホック雄部４０を小径部２ｂに係合保持することを特徴とする。
【０００９】
前記ホック雌部２０を構成するバネ体１０の、ホック雌部本体１からの抜止め手段が、バネ体１０の挿通方向両外側に、前記挿通方向と反対方向に拡大するするように傾斜して突出する一対のくさび形係止片１４と、雌部本体１の空間部４の両側に形成されて前記係止片１４の挿通により係合する係止凹部５とからなるものであることを特徴とする。
バネ体１０を、雌部本体１内に挿通する時に、バネ体１０外側の一対のくさび形係止片１４が雌部本体１の開口４ａの対向内壁に押されてバネ体１０の全体が縮径し、スムーズに挿通係合されるようになっている。
【００１０】
前記バネ体１０のバネ孔１１のうち、前記雌部本体１のだるま孔２の大径部２ａに対応する孔部１１ａの頂部側内壁には、該孔部の底部側に向けて傾斜するガイド板１５が一体化されて形成されていることを特徴とする。
このガイド板１５は、ホック雄部４０をホック雌部２０に押し込み挿通又は離脱させる時のガイドとなる。
【００１１】
前記ホック具のホック雌部２０とホック雄部４０が対向して取り付けられる布体などよりなる取付部材３０，４１同士の引張り方向の先端側に、ホック雌部本体１のだるま孔２の小径部２ｂを位置させ、後部側に大径部２ａを位置させて取付部材３０にホック雌部２０を固定させる。
【００１２】
また、前記ホック雌部２０の裏面の略中央部には、その空間部４に連通するカシメ用孔３ａが開口形成され、前記布体などよりなる取付部材３０の表面側に設けた装飾用ボタンを構成する固定具３１の裏面には筒状部３１ａが突出され、該筒状部３１ａを取付部材３０を介してカシメ用孔３ａにカシメ止めることにより、ホック雌部２０を取付部材３０に固定する構成とすることができる。
【発明の効果】
【００１３】
本発明によれば、ホック雌部を構成する部品が、略ボックス形のホック雌部本体と、これに嵌め付けられる樹脂成形体からなる略リング形のバネ体よりなり、バネ体をホック雌部本体の一側部に開口した開口から挿通することにより、組み付けるようにしているため、製造及び構造が簡単である。本発明によれば、上述したように、バネ体を樹脂成形体からなる略リング形の構造としているため、組付けが容易となるばかりでなく、バネ動作が安定し、疲労や故障が少ない。本発明のバネ体によれば、従来の線状バネに比較し、強度耐久力共に優れており、使用中の折れ曲りや、位置ずれについても起こしにくく、信頼性の点で優れている。
【００１４】
バネ体１０の外側に一対の係止片を形成させることにより、雌部本体１内へ挿通組付けが容易となり、抜けだしなどの故障も防止される。
【００１５】
バネ体の内壁に上記ガイド板を形成させることにより、ホック雄部をホック雌部の大径孔に差込むことで、自然と小径部側にガイドされることになり、操作が簡単である。
【００１６】
本発明では、ホック雌部の取付位置の方向性を一度定めてしまえば、確実に係合状態がたもたれ、着脱操作が容易であり、例えばジーンズなどのズボンでは、ややきつめであれば、着用者の腹圧によって係合状態に保たれることになるため、安心して着用できるものとなる。
【発明を実施するための最良の形態】
【００１７】
以下、本発明の最良の形態につき、添付図面を用いて詳細に説明する。
図１は本発明に係るホック具のホック雌部を構成するホック雌部本体の平面図、図２，３は図１のＡ−Ａ線及びＢ−Ｂ線断面図、図４は前記ホック雌部本体に装填されるバネ体の平面図、側面図及び正面図、図５は図４のＣ−Ｃ線断面図、図６（ａ）はホック雌部本体とバネ体の取付関係を示す分解斜視図、（ｂ）は取付状態の斜視図、（ｃ）は同取付状態を底面側から見た斜視図、図７はホック雌部と装飾用ボタンとしての固定具との取付関係を示す分解斜視図、図８はホック雌部とホック雄部との取付関係を示す分解斜視図である。
【００１８】
まず図１，２において、ホック雌部本体１は、表面をバフ研磨などにより鏡面加工した亜鉛ダイキャストなどの金属による成型品であり、全体的には概略扁平なボックス形をなし、その表面には大小の孔である大径部２ａと小径部２ｂが連接するだるま孔２を開口し、このだるま孔２の外周壁の幅方向両側を底面側に向けて、斜めに切り落した形状としている。ホック雌部本体１の底面中心部にはホック雌部本体１の底面よりやや突出する取付部３が同心状に一体化され、この取付部３の中心には、後述する取付部品に対するカシメ用孔３ａが開口されている。ホック雌部本体１の内部には前記だるま孔２の大径部２ａよりやや広い扁平状の空間部４がだるま孔２の長手方向に沿って形成され、この空間部４の一端は、大径部２ａ側においてホック雌部本体１の一側面に開口４ａされ、この開口４ａの下面には、段差を設けて前記取付部３の外側部に至る狭小な溝部４ｂが形成されている。
【００１９】
さらに前記空間部４の幅方向両内側壁には、後述するバネの抜止め用の係止凹部５が形成され、この係止凹部５はホック雌部本体１の底面に開口している。
【００２０】
なお、以上の構成のホック雌部本体１の各部分における角部はＲ加工が施されており、これによって手触りを良好にしていると同時に、エッジ部分がないため、手指の傷つきなどを未然に防止し、安全性を向上している。
【００２１】
次に図３，４において、バネ体１０は、略弾性リング状をなし、ポリアセタールなどの弾性を有する硬質合成樹脂の射出成形体からなるものであって、このものの長さ、幅、厚み寸法は、前記空間部４の内側寸法にほぼ等しい略ひょうたん形をなし、その中央部には前記だるま孔２の大径部２ａに相似する２つの孔部１１ａ，１１ｂを互いに連接した略眼鏡孔形のバネ孔１１が上下を貫通して開口している。
【００２２】
このバネ体１０の長手方向一端側は前記空間部４の開口４ａとその下部の溝部４ｂに応じた肉厚部１２が一体化されているとともに、幅方向両側には挿通方向に向けて外壁がくさび形にが縮径傾斜する係止片１４が一体化されている。
【００２３】
さらに、前記大径部２ａに相当する一方の孔部１１ａには、他方の孔部１１ｂの底面側に向けて傾斜するガイド板１５が一体化されて形成されている。
【００２４】
以上のホック雌部本体１とバネ体１０の組付は図５（ａ）に示すように、ホック雌部本体１の一側部開口４ａから、バネ体１０を差込むことにより、前記係止片１４が空間部４の両側に接触し、バネ体１０を弾性縮径させつつ前記係止凹部５内に挿通され、挿通完了時点では係止片１４の後端が係止凹部５内に入り込むことで、バネ体１０は弾性復帰して完全に抜止めされ、図５（ｂ）に示すようにバネ体１０のホック雌部本体１への組付けを完了し、ホック雌部２０が完成する。
【００２５】
完成状態で、バネ孔１１の各孔部１１ａ，１１ｂはだるま孔２の大径部２ａよりはやや径小であるが、小径部２ｂよりは径大であり、それぞれの位置に重なっている。なお、図５（ｃ）は組付け状態におけるホック雌部２０の底面側を示している。
【００２６】
次に、以上のホック雌部２０の固定方法を図６を用いて説明する。まずホック雌部２０を布地よりなる取付部材３０の端部取付け位置に位置決めするとともに、取付部材３０の裏側に固定具３１、この場合は装飾用ボタンを位置させその中心に突設した筒状部３１ａを取付部材３０を介して取付孔３ａに差込み、筒状部３１ａの先端突出部を取付部３の上面でカシメ付ければ、ホック雌部２０の取付部材３０への固定を完了する。
【００２７】
次に、ホック雌部２０に対するホック雄部の脱着操作について図７を用いて説明する。図において、ホック雄部４０は相手側布地としての取付部材４１の端部取付位置にカシメ止固定されている。なお、前記取付部材３０と相手側取付部材４１は、例えば図９に示すジーンズなどのズボン１００の場合、腰部１０１を一周して前部側開口位置で重ね合されるものである。
【００２８】
そして、ホック雄部４０の中心より突出する嵌合頭部４０ａの径は前記バネ孔１１の内径に等しく、だるま孔２の小径部２ｂより径大であるので、頭部４０ａを大径部２ａ内に差込み、小径部２ｂ側に移動させると、バネ孔１１の連接位置である狭隘部１１ｃを拡開しつつこれを乗越えて他方側に入る。この位置でホック雄部４０は抜止めされ、両取付部材３０，４１同士を係合状態にロックする。この一連の動作時において、頭部４０ａがバネ孔１１に差込まれた段階ではガイド板１５に沿って奧方に導かれるので、挿入しやすいものとなる。
【００２９】
ここで注意事項としては、前記取付部材３０，４１の引張り方向Ｆ，Ｆ’の前方に小径部２ｂが位置するように取付部材３０に取付けることが必要であり、このように位置決めすることにより、張力Ｆ，Ｆ’が加わっている限りは、ホック雄部４０の頭部４０ａは常時小径部２ｂ位置にあるため、確実に両取付部材３０，４１間を閉止状態に保持することができる。また、張力Ｆ，Ｆ’が弱い場合であっても、人為的な移動力が加わらない限りは、ホック雄部４０は、バネ孔１１の狭隘部１１ｃに邪魔されて、大径部２ａ側への移動が阻止されるものとなる。つまり、人手によりホック雄部４０大径部２ａ側に移動させれば、自然に外され、取付部材３０，４１間の係合を解除できる。
【００３０】
なお、前記実施形態ではホック雌部２０の裏側に装飾用ボタンよりなる固定具３１を固定した。これは固定具３１を取付部材３０の前面に位置させた状態で、ホック雌部２０をホック雄部４０に対して操作することによりズボンなどの前部を開閉するためであるが、ホック雄部４０の裏側に装飾用ボタンをカシメ付け、これを前面として開閉操作することも可能であることは勿論である。
【００３１】
また、ズボンだけでなく、スカートなどの衣類一般、あるいは鞄、バッグなど布あるいは皮革製品の係合部などにも本発明のホック具を用いることができることは言うまでもない。
【図面の簡単な説明】
【００３２】
【図１】本発明に係るホック具におけるホック雌部本体の平面図である。
【図２】図１のＡ−Ａ線断面図である。
【図３】図１のＢ−Ｂ線断面図である。
【図４】ホック雌部本体本体に装填されるバネ体の平面図、側面図及び正面図である。
【図５】図４のＣ−Ｃ線断面図である。
【図６】（ａ）はホック雌部本体とバネ体の取付関係を示す分解斜視図、（ｂ）は取付状態の斜視図、（ｃ）は同取付状態を底面側から見た斜視図である。
【図７】ホック雌部と固定具との取付関係を示す分解斜視図である。
【図８】ホック雌部とホック雄部との脱着関係を示す分解斜視図である。
【図９】ズボンの着用状態の一例を示す説明図である。
【符号の説明】
【００３３】
１  ホック雌部本体
２  だるま孔
２ａ  大径部
２ｂ  小径部
３  取付部
３ａ  カシメ用孔
４  空間部
４ａ  開口
４ｂ  溝部
５  係止凹部
１０  バネ体
１１  バネ孔
１１ａ，１１ｂ  孔部
１１ｃ  狭隘部
１４  係止片
１５  ガイド板
２０  ホック雌部
３０，４１  取付部材
３１  固定具
４０  ホック雄部
４０ａ  嵌合頭部
【図１】
2008036337.tif 000003
【図２】
2008036337.tif 000004
【図３】
2008036337.tif 000005
【図４】
2008036337.tif 000006
【図５】
2008036337.tif 000007
【図６】
2008036337.tif 000008
【図７】
2008036337.tif 000009
【図８】
2008036337.tif 000010
【図９】
2008036337.tif 000011